(57)【要約】【課題】  消費電力を抑えることのできる音楽再生装置を提供することを目的とする。【解決手段】  音楽再生装置１の電源が入った状態で、カーソルキー３により楽曲を選択し決定キー４により再生操作を行う。バッファメモリ１２にアクセスし、バッファメモリ１２に選択された楽曲があるかどうかを確認する。バッファメモリ１２上に選択された曲がある時は、選択された曲を再生する。バッファメモリ１２に選択された曲がない時は、ハードディスク１１から選択された曲の楽曲データを読み込みバッファメモリ１２に書き込む。バッファメモリ１２には不揮発性メモリを使用している。楽曲を再生する時はバッファメモリ１２により再生する。楽曲データを再生する度にハードディスク１１を起動しないため消費電力を抑えることが可能となる。【選択図】  図３
2007149174.tif 000002
【特許請求の範囲】
【請求項１】
操作部を有する本体と、
外部から取り込まれた楽曲データを記憶する第１の記憶部と、
第２の記憶部と、
前記操作部を介した操作に基づいて前記第１の記憶部に記憶された楽曲データを前記第２の記憶部に転送するデータ制御部と、
前記第１の記憶部あるいは前記第２の記憶部に記憶された楽曲データを再生する再生部と
を具備することを特徴とする音楽再生装置。
【請求項２】
前記第２の記憶部は不揮発性記憶装置であって、前記操作部を介した所定の操作により楽曲データを再生する時は、前記第２の記憶部から楽曲データを読み出し再生することを特徴とする請求項１記載の音楽再生装置。
【請求項３】
前記楽曲データは、前記第１の記憶部から前記第２の記憶部へ転送された後に、前記第１の記憶部から削除されることを特徴とする請求項１又は２記載の音楽再生装置。
【請求項４】
前記操作部を介した操作により再生リストが作成された際、前記再生リスト内の楽曲データが前記第２の記憶部に記憶されるとともに、前記再生リスト内の楽曲データが前記第１の記憶部から削除されることを特徴とする請求項２記載の音楽再生装置。
【請求項５】
本体に操作部を有する音楽再生装置により楽曲データを再生する方法であって、
外部から取り込まれた楽曲データを第１の記憶部に記憶し、
前記操作部を介した操作に基づいて前記第１の記憶部に記憶された楽曲データを前記第２の記憶部に転送し、
前記操作部を介した操作により再生する楽曲データを選択し、
前記選択された楽曲データを前記第２の記憶部から読み出して再生し、
前記再生された楽曲データを前記第１の記憶部から削除することを特徴とする音楽再生方法。
【発明の詳細な説明】
【技術分野】
【０００１】
本発明は、省電力技術に関する。
【背景技術】
【０００２】
従来、電子機器の消費電力を低減するための方法として種々のものが提案されている。電子機器に内蔵されたハードディスクの起動を抑えることで消費電力を低減させるものが特許文献１に記載されている。携帯型音楽再生装置にはバッファメモリとして不揮発性のメモリが備えられている。携帯型音楽再生装置をパーソナルコンピュータ（以下、ＰＣ）と接続すると、ＰＣ内のハードディスクへ格納された音楽データがＰＣ内のハードディスクから自動的に携帯型音楽再生装置のバッファメモリへ転送される。音楽データがＰＣから携帯型音楽再生装置へ転送された後は、ＰＣとの接続を外して携帯型音楽再生装置を持ち出して使用することができる。音楽データを読み込む時に、携帯型音楽再生装置のバッファメモリから読み込むため、ＰＣのハードディスクを起動する必要がない。そのため、音楽データを再生する際の待ち時間を短縮することができるとともに消費電力を抑えることができる。
【特許文献１】特開２００５−３１７７０号公報
【発明の開示】
【発明が解決しようとする課題】
【０００３】
特許文献１に記載の方法では、バッファメモリに不揮発性メモリを使用しているため、起動時に再度音楽データを書き込む必要はなく、装置の起動時間は短くなる。しかし、バッファメモリ上に所望の音楽データがない場合には、携帯型音楽装置とＰＣを再び接続する必要がある。そのため、新たに音楽データを携帯型音楽装置に転送する際、ＰＣのハードディスクを起動しなければならず、消費電力を抑えることができない。
【０００４】
そこで本発明は上記のような課題を解決するものであって、消費電力を抑えることのできる音楽再生装置を提供することを目的とする。
【課題を解決するための手段】
【０００５】
上記目的を達成するために本発明に係る音楽再生装置は操作部を有する本体と、外部から取り込まれた楽曲データを記憶する第１の記憶部と、第２の記憶部と、前記操作部を介した操作に基づいて前記第１の記憶部に記憶された楽曲データを前記第２の記憶部に転送するデータ制御部と、前記第１の記憶部あるいは前記第２の記憶部に記憶された楽曲データを再生する再生部とを具備することを特徴とする。
【発明の効果】
【０００６】
本発明によれば、消費電力を抑えることのできる音楽再生装置を提供することができる。
【発明を実施するための最良の形態】
【０００７】
以下本発明に係る実施の形態を、図面を参照して説明する。
図１は本発明の第一の実施形態に係る音楽再生装置の外観斜視図である。音楽再生装置１の本体の前面１ａにはディスプレイ２とカーソルキー３及び決定キー４とが備えられている。ディスプレイ２には再生中の楽曲の情報やバッテリー残量等が表示される。カーソルキー３を操作することで再生する楽曲を選択し決定キー４により演奏を開始する。メニューキー５を操作すると再生リストやリピート等の各種の設定を変更するメニュー画面を呼び出すことができる。音楽再生装置１の本体の側面１ｂには電源を入れる電源ボタン６や音量を調節する音量調節ボタン７が備えられている。音楽再生装置の他の側面１ｃにはヘッドホン等を接続するための端子８が設けられている。図示はしないが音楽再生装置の本体にはその他に、充電用アダプタと接続するための端子やコンピュータと接続し楽曲データを音楽再生装置に転送するための端子が設けられている。
【０００８】
図２は本発明の第一の実施形態に係る音楽再生装置のシステム構成図である。音楽再生装置の内部には機能を発揮するための各種の回路の他、ＣＰＵ１０とハードディスク（第１の記憶部）１１とバッファメモリ（第２の記憶部）１２とプログラムメモリ１３等が備えられている。以下、第１の記憶部はハードディスク１１、第２の記憶部はバッファメモリ１２として説明する。ＣＰＵ１０は、ディスプレイ２やハードディスク１１などの周辺機器を接続するインタフェースを内蔵し、これら周辺機器のデータの読み書きを行う。ハードディスク１１には、外部のコンピュータ等から音楽再生装置１に転送された楽曲データが保存される。バッファメモリ１２は不揮発性メモリであり、例えばＮＡＮＤ型フラッシュメモリが用いられる。バッファメモリ１２は楽曲再生時にハードディスク１１から読み込んだ楽曲データを一時的に保持する。プログラムメモリ１３は不揮発性メモリであり、例えばＮＯＲ型フラッシュメモリが用いられる。プログラムメモリ１３にはシステムを動作させるためのプログラムが格納されている。プログラムメモリ１３には、読み出し速度が速く高速ランダムアクセスが可能でありプログラム実行に適したＮＯＲ型フラッシュメモリが用いられる。
【０００９】
音楽再生装置１に設けられたキーやボタン等の操作部１４を介して再生する楽曲データが選択される。再生する楽曲データが選択されると、バッファメモリ１２にアクセスしバッファメモリ１２内の楽曲データを読み出す。読み出された楽曲データは再生部１５により再生される。再生部１５はデコーダ、Ｄ／Ａコンバータ等により構成される。楽曲データはデコーダにより復号化され、Ｄ／Ａコンバータにてアナログ信号に変換される。アナログ信号に変換された楽曲データは音声出力部１６から出力され、端子８に接続されたヘッドホンやスピーカ等で聴くことができる。
【００１０】
図３は本発明の第一の実施形態に係る音楽再生装置の動作を示すフローチャートである。
音楽再生装置１の電源が入った状態で、カーソルキー３により楽曲を選択し決定キー４により再生操作を行う（ステップ１）。バッファメモリ１２にアクセスし、バッファメモリ１２に選択された楽曲があるかどうかを確認する（ステップ２）。バッファメモリ１２上に選択された曲がある時は（ステップ２のＹｅｓ）、選択された曲を再生する（ステップ３）。バッファメモリ１２に選択された曲がない時は（ステップ２のＮｏ）、ハードディスク１１から選択された曲の楽曲データを読み込む（ステップ４）。ハードディスク１１から楽曲データを読み込んだ時に、バッファメモリ１２の容量が十分でない時は（ステップ５のＮｏ）、バッファメモリ１２上の楽曲データを削除する（ステップ６）。バッファメモリ１２上の楽曲データを削除する際に、削除対象となる楽曲データを選択する方法としては例えば古い楽曲データから順に削除していくという方法が考えられる。バッファメモリ１２の容量が十分にある時は（ステップ５のＹｅｓ）、バッファメモリ１２上の楽曲データを削除することなく、そのまま選択された楽曲データがバッファメモリ１２に書き込まれる（ステップＳ７）。バッファメモリ１２に楽曲データが書き込まれるとバッファメモリ１２上の楽曲が再生される（ステップ３）。
【００１１】
本発明では音楽再生装置１のバッファメモリ１２に不揮発性メモリを使用している。バッファメモリ１２に不揮発性メモリを使用しているため、音楽再生装置１の電源を切った時もバッファメモリ１２に保存された楽曲データは消えずに残る。楽曲を再生する時はバッファメモリ１２により再生する。バッファメモリ１２に該当する楽曲データがない場合は、ハードディスク１１からバッファメモリ１２に書き込まれる。楽曲データを再生する度にハードディスク１１を起動しないため消費電力を抑えることが可能となる。
【００１２】
バッファメモリ１２の容量が一杯で余裕がない時、ハードディスク１１から新たに楽曲データを転送するためにはバッファメモリ１２上の楽曲データを削除しなくてはならない。削除する楽曲データを選択する方法としては例えば、日付の古い楽曲データから順に削除していくというものが考えられる。新たに転送する楽曲データのファイルサイズに合わせて、削除する楽曲データを選択しても良い。また、バッファメモリ１２に保存された楽曲データの中で、使用者が良く聴く楽曲データは優先的に残すような設定としても良い。なおバッファメモリ１２は固定容量でなくともよい。メモリカード等の外付けの記憶装置を装着することでバッファメモリ１２の容量を増やすことができるようにしても良い。ハードディスク１１には大量の楽曲データを保存することができるが、使用者が普段再生する楽曲データをバッファメモリ１２に蓄えておくことで、ハードディスク１１を極力起動させないようにすることもできる。また、ハードディスク１１の動作頻度が少なくなるため、ハードディスク１１の動作中に落下、衝突することで物理的損傷が発生する確率を低くすることができる。
【００１３】
第一の実施形態を実施した場合、ハードディスクの起動を減らし音楽再生装置の消費電力を抑えることができる。
【００１４】
図４は本発明の第二の実施形態に係る音楽再生装置の動作を示すフローチャートである。第二の実施形態において第一の実施形態と同じものは同一の符号を付し説明を省略する。ＰＣ等から音楽再生装置１に楽曲データの転送をする時（ステップ１０）、まずバッファメモリ１２の容量に空きがあるかどうかを確認する（ステップ１１）。バッファメモリ１２に空きがある場合は（ステップ１１のＹｅｓ）、バッファメモリ１２に楽曲データを記録する。バッファメモリ１２に楽曲データを転送するだけの十分な空きがない場合は（ステップ１１のＮｏ）、バッファメモリ１２上の楽曲データを削除する（ステップ１２）。バッファメモリ１２上の楽曲データを削除し、それでもなお容量が不足している場合は（ステップ１３のＮｏ）、再びバッファメモリ１２上にある楽曲データを削除する。楽曲データを削除し、バッファメモリ１２の容量が十分となったら（ステップ１３のＹｅｓ）、バッファメモリ１２に楽曲データを記録させる（ステップ１４）。バッファメモリ１２に楽曲データを記録したら、ハードディスク１１内の該当する楽曲データを削除する（ステップ１５）。
【００１５】
ハードディスク１１とバッファメモリ１２とで楽曲データを重複して持つ必要がなく、ハードディスク１１の容量を節約することができる。楽曲データを削除して容量が空いた分、ハードディスク１１には新たに楽曲データを記憶させることが可能となる。ハードディスク１１には大量の楽曲データを保存することができるが、本発明では消費電力を抑えるため、再生する時にはバッファメモリ１２から楽曲データを読み込むようになっている。従ってバッファメモリ１２に転送された楽曲データはハードディスク１１に残さず、転送後に削除しても楽曲データの再生には差し支えない。上述のようにバッファメモリ１２の容量は増やすことが可能である。また、必要であればバッファメモリ１２上の楽曲データを削除し新しい楽曲データを保存することもできる。
【００１６】
その他に、プレイリスト作成と同時にプレイリストに挙がっている楽曲データをバッファメモリ１２に書き込むようにしても良い。プレイリストが作成されバッファメモリ１２に楽曲データが書き込まれると、ハードディスク１１内の該当する楽曲データを削除する。バッファメモリ１２に記録されたプレイリストに基づいて楽曲データを再生する。バッファメモリ１２に転送された楽曲データをハードディスク１１から削除することで、ハードディスク１１の容量を節約することができる。
【００１７】
第二の実施形態を実施した場合、ハードディスクの起動を減らし音楽再生装置の消費電力を抑える効果に加え、ハードディスクの容量を節約することができる。
【００１８】
本実施形態では音楽再生装置を例に説明したが、本発明は音楽再生装置に限らず映像再生装置やコンピュータ等の種々の電子機器に適用することが可能である。
【００１９】
本発明ではその主旨を逸脱しない範囲であれば、上記の実施形態に限定されるものではなく種々の変形が可能である。
【図面の簡単な説明】
【００２０】
【図１】本発明の第一の実施形態に係る音楽再生装置の外観斜視図。
【図２】本発明の第一の実施形態に係る音楽再生装置のシステム構成図。
【図３】本発明の第一の実施形態に係る音楽再生装置の動作を示すフローチャート。
【図４】本発明の第二の実施形態に係る音楽再生装置の動作を示すフローチャート。
【符号の説明】
【００２１】
１…音楽再生装置、２…ディスプレイ、３…カーソルキー、４…決定キー、５…メニューキー、６…電源ボタン、７…音量調節ボタン、８…端子、１０…ＣＰＵ、１１…ハードディスク、１２…バッファメモリ、１３…プログラムメモリ、１４…操作部、１５…再生部、１６…音声出力部
【図１】
2007149174.tif 000003
【図２】
2007149174.tif 000004
【図３】
2007149174.tif 000005
【図４】
2007149174.tif 000006